【手続補正書】
【提出日】平成20年2月22日(2008.2.22)
【手続補正１】
【補正対象書類名】特許請求の範囲
【補正対象項目名】全文
【補正方法】変更
【補正の内容】
【特許請求の範囲】
【請求項１】
基材と、
前記基材に形成され、少なくとも２つの微小結晶粒子を有し、当該微小結晶粒子のそれぞれが少なくとも２層の能動層を有する交流微小結晶粒子発光モジュールと、
各微小結晶粒子のそれぞれに電気的に接続されることにより、各微小結晶粒子の各能動層が交流電力の正負半波に応じて交互に発光する導電構造と、
を備えることを特徴とする交流発光装置。
【請求項２】
各微小結晶粒子の同一層の能動層は、交流電力の正負波に応じて交互に発光することを特徴とする請求項１に記載の交流発光装置。
【請求項３】
各微小結晶粒子の異なる層の能動層は、交流電力の正負波に応じて交互に発光することを特徴とする請求項１に記載の交流発光装置。
【請求項４】
基材を準備する工程と、
前記基材に少なくとも２層の能動層を形成する工程と、
前記能動層に前記基材が露出される開口を複数形成する工程と、
前記能動層の外周に保護層を被覆する工程と、
複数の導電端子を形成し前記保護層を貫通して、前記能動層と電気的に接続する工程と、
前記開口に複数の導電構造が形成され、能動層のそれぞれに電気的に接続され、能動層のそれぞれが交流電力の印加後に、前記交流電力の正負半波に応じて交互に発光する工程と、
を備えることを特徴とする交流発光装置の製造方法。
【請求項５】
前記微小結晶粒子の能動層は異なる波長の光を発光することを特徴とする請求項１に記載の交流発光装置。
【請求項６】
前記２層の能動層の間にさらに連結層を有することを特徴とする請求項１に記載の交流発光装置。
【請求項７】
基材と、
前記基材上に形成され、複数の交流発光ダイオード微小結晶粒子を含むブリッジ発光ユニットであって、各交流発光ダイオード微小結晶粒子は少なくとも１つの能動層を有し、該能動層はブリッジ整流器におけるダイオードの回路構造配列方式に応じて配列され、少なくとも１つの能動層がブリッジ整流器のそれぞれのアームに配列される、ブリッジ発光ユニットと、
各微小結晶粒子にそれぞれ電気的に接続され、４つの周辺アーム上の各微小結晶粒子が交流電力の正負半波に応じて交互に発光する導電構造と、
を備えることを特徴とする交流発光装置。
【請求項８】
お互いに電気的に接続された複数のブリッジ発光ユニットをさらに有し、前記ブリッジ発光ユニットはマトリックス方式に配列されることを特徴とする請求項７に記載の交流発光装置。
【請求項９】
前記マトリックスの第１および第２の対角箇所に配置された導電電極をさらに有しており、前記導電電極は、各ブリッジ発光ユニットのそれぞれと相互に直列に結合されることにより、交流電源が投入されることを特徴とする請求項８に記載の交流発光装置。
【請求項１０】
中央領域に配置されたブリッジ発光ユニットの数量が、周辺部分に配置されたブリッジ発光ユニットの数量以上であることを特徴とする請求項８に記載の交流発光装置。
【請求項１１】
基材と、
前記基材に形成され、
少なくとも１つの能動層を有する複数の交流発光ダイオード微小結晶粒子であって、第１のグループの交流発光ダイオード微小結晶粒子の能動層はブリッジ整流器の４つの周辺アーム上に配列され、第２のグループの交流発光ダイオード微小結晶粒子の能動層はブリッジ整流器の第１および第２の対角箇所を接続する接続アームに配列される、交流発光ダイオード微小結晶粒子と、
ブリッジ整流器の第３および第４の対角箇所に配置された、それぞれ交流電源に接続するための第１および第２のユニット導電電極と、
を含むブリッジ発光ユニットと、
各交流発光ダイオード微小結晶粒子のそれぞれに電気的に接続されることにより、第１のグループの交流発光ダイオード微小結晶粒子の能動層が交流電力の正負半波に応じて交互に発光し、かつ、第２のグループの交流発光ダイオード微小結晶粒子の能動層が交流電力の正負半波の両方に応じて交互に発光することを可能にする導電構造と、
を備えることを特徴とする交流発光装置。
【請求項１２】
複数のブリッジ発光ユニットと、
第１および第２のマトリックス導電電極と、
をさらに有し、
前記複数のブリッジ発光ユニットはマトリックス方式に配列され、前記第１および第２のマトリックス導電電極は前記マトリックスの第１および第２の対角箇所にそれぞれ配置されることを特徴とする請求項１１に記載の交流発光装置。
【請求項１３】
導電端子は蒸着技術によって形成され、基材上の能動層はエピタキシャル技術によって形成されることを特徴とする請求項４に記載の交流発光装置の製造方法。
【手続補正２】
【補正対象書類名】明細書
【補正対象項目名】０００２
【補正方法】変更
【補正の内容】
【０００２】
白熱ランプの発光原理と異なり、発光ダイオード（Ｌｉｇｈｔ  Ｅｍｉｔｔｉｎｇ  Ｄｉｏｄｅ，  ＬＥＤ）の発光原理は、主に電流が発光可能な物質に印加されることで発光の効果が得られるため、コールドライト（ＣＯＬＤ  ＬＩＧＨＴ）と称されている。発光ダイオードは高耐久性、長寿命、軽量、低消費電力などに利点があり、水銀などの有害物質を含んでいないので、ＬＥＤを応用した固体照明は、照明産業や半導体産業において将来性がある重要な研究開発の目標として掲げられている。その応用傾向としては、例えば白色光照明、指示ライト、車両用信号灯及び照明ライト、懐中電灯、ＬＥＤバックライトモジュール、プロジェクター光源ないしアウトドアディスプレーなどのディスプレーなどによく見られる。
【特許文献１】台湾特許出願第０９３１２６２０１号明細書
【手続補正３】
【補正対象書類名】明細書
【補正対象項目名】０００３
【補正方法】削除
【補正の内容】
【手続補正４】
【補正対象書類名】明細書
【補正対象項目名】０００４
【補正方法】削除
【補正の内容】
【手続補正５】
【補正対象書類名】明細書
【補正対象項目名】０００５
【補正方法】削除
【補正の内容】
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】変更
【補正の内容】
【０００８】
本発明は、発光面積の全体が同時に発光できる交流発光装置及びその製造方法を提供することを課題とする。
【手続補正９】
【補正対象書類名】明細書
【補正対象項目名】０００９
【補正方法】削除
【補正の内容】
【手続補正１０】
【補正対象書類名】明細書
【補正対象項目名】００２７
【補正方法】変更
【補正の内容】
【００２７】
［実施形態］
本発明では、チップに適用される交流発光装置が提供されており、この交流発光装置は、印加された交流電力（ＡＣ  ｐｏｗｅｒ）によって使用者が利用できるための単色光源や白色光源または非単色光源を生成する。この単色光源または非単色光源は、常時発光するようにチップの出光面に表現されている。ここで、前記交流電力は、各国の電気基準によれば、その好ましい電圧は、１１０Ｖ（ボルト）または２２０Ｖであり、好ましい周波数は、６０Ｈｚ（ヘルツ）または５０Ｈｚである。
【手続補正１１】
【補正対象書類名】明細書
【補正対象項目名】００３０
【補正方法】変更
【補正の内容】
【００３０】
また、図面がより分かりやすくなるように拡大された図１Ｂによって交流微小結晶粒子発光モジュール２を説明する。この交流微小結晶粒子発光モジュール２は、少なくとも二つの微小結晶粒子２０ａ、２０ｂを有し、当該微小結晶粒子２０ａ，２０ｂのそれぞれには少なくとも２層の能動層（図に示す上部能動層２００ａ、２００ｂ及び下部能動層２０１ａ、２０１ｂ）が設けられており、この能動層は発光活性層である。微小結晶粒子２０ａ、２０ｂの能動層２００ａ、２０１ａ、２００ｂ、及び２０１ｂは、いずれも個別のオーミック電極２０２ａ、２０２ｂ、２０３ａ、２０３ｂ、２０４ａ、２０４ｂ、２０５ａ及び２０５ｂを有し、印加される交流がそれらのオーミック電極を流れることにより、能動層２００ａ、２０１ａ、２００ｂ、及び２０１ｂが光源を発することができる。また、基材１に形成され少なくとも２層の能動層を有する各微小結晶粒子２０ａ、２０ｂは、フリップチップ技術、ウェハボンディング技術またはエピタキシャル技術によって製造することができる。
【手続補正１２】
【補正対象書類名】明細書
【補正対象項目名】００３１
【補正方法】変更
【補正の内容】
【００３１】
導電構造３は、各微小結晶粒子２０ａ、２０ｂの能動層のそれぞれが交流の印加後に交流電力の正負半波に応じて交互に発光するように、微小結晶粒子２０ａ、２０ｂに電気的を接続する。この導電構造３は、少なくとも、図１Ａに示すように、２つの微小結晶粒子の間に接続された導体３０ｂを含む。さらに、導電構造３は、交流電力が投入されるための導体３０ａ、３０ｃを備えており、当該導体３０ａ、３０ｂ及び３０ｃは、導電架橋であるのが好ましい。
【手続補正１３】
【補正対象書類名】明細書
【補正対象項目名】００３２
【補正方法】変更
【補正の内容】
【００３２】
本発明に係る交流発光装置について、その作動方式を２つの交流発光装置の実施形態に基づいて説明する。交流が印加された後の状態を図２Ａ及び図２Ｂに示す。また、図３Ａ及び図３Ｂは本発明に係る交流発光装置の等価回路図（それぞれが図２Ａ及び図２Ｂに対応する）である。ここでは、能動層（上部能動層２００及び下部能動層２０１）は、発光ダイオード（ＬＥＤ）と同一であり、Ｐ／Ｎ構造を有している。したがって、各微小結晶粒子２０の上部能動層２００及び下部能動層２０１は並列に接続されており、導電構造３を介して電気的に接続される各微小結晶粒子２０の間は、図３Ａ及び図３Ｂに示すように、直列に接続されている。
【手続補正１４】
【補正対象書類名】明細書
【補正対象項目名】００３３
【補正方法】変更
【補正の内容】
【００３３】
図２Ａ及び図３Ａでは、交流の正半波電流が交流発光装置を流れる発光状態であり、交流の正半波電流が入力される場合、各微小結晶粒子２０の上部能動層２００は順方向であり、正半波電流は、図３Ａの矢印に示すように、各微小結晶粒子２０の上部能動層２００を流れて光源を出射する。交流の負半波電流が入力される場合、図２Ｂ及び図３Ｂに示すように、各微小結晶粒子２０の下部能動層２０１は順方向であり、負半波電流は、図３Ｂの矢印に示すように、各微小結晶粒子２０の下部能動層２０１を流れて光源を出射する。すなわち、本発明の等価回路図から分かるように、本発明では、交流の正負半波電流を上下に積み重なる２つの発光ダイオードと等価であるので、本発明に係る交流発光装置は交流の正半波電流ないし負半波電流が流れるいずれの場合にも光源を出射することができる。各微小結晶粒子２０の同一層である能動層（上部能動層２００または下部能動層２０１）は、交流電力の正負半波に応じて交互に発光する。
【手続補正１５】
【補正対象書類名】明細書
【補正対象項目名】００３４
【補正方法】変更
【補正の内容】
【００３４】
図４に示すとおり、微小結晶粒子を互に組み合わせてチップに複数配列して交流を印加する場合、当該チップの平面（チップの出光面）が周波数６０Ｈｚで交互に発光する。ここで、各微小結晶粒子２０は、同一または異なる波長であってよく、すなわち出射の光源は、同一または異なる色（各能動層は、同一または異なる波長を有して、同一または異なる色の光源となる）であってよい。異なる波長の微小結晶粒子２０の場合、例えば上部能動層が緑色であり、下部能動層が赤色であれば、さらに上部能動層と下部能動層とを交互に発光させることにより、光混合の効果（赤色光及び緑色光）が得られる。一つの例として、波長４８５〜５００ｎｍの緑色光（上部能動層）を波長５８０〜６２０ｎｍの赤色光（下部能動層）に組み合わせることで、上部能動層と下部能動層とから、白色光に近いように混合される効果（黒体放射（Ｂｌａｃｋ  ｂｏｄｙ  ｒａｄｉａｔｉｏｎ））が得られる。従って、本発明では、常時発光できる装置のみならず、使用者の必要に応じて発光光源の色（例えば単色光源または非単色光源）を調整できる装置を提供しているので、従来技術のように蛍光体粉末を使用して白色光源を作り出す必要はない。
【手続補正１６】
【補正対象書類名】明細書
【補正対象項目名】００３５
【補正方法】変更
【補正の内容】
【００３５】
また、図５Ａ及び図５Ｂは、本発明に係る交流発光装置の他の実施形態を示す。その等価回路図を図６Ａ及び図６Ｂに示す。ここで、能動層（上部能動層２００ｃ、２００ｄ、及び下部能動層２０１ｃ、２０１ｄ）のそれぞれは、発光ダイオード（ＬＥＤ）と同一であり、Ｐ／Ｎ構造を有している。したがって、各微小結晶粒子２０ｃ、２０ｄの上部能動層２００ｃ、２００ｄ及び下部能動層２０１ｃ、２０１ｄは並列に接続されており、各微小結晶粒子２０ｃ、２０ｄは、導電構造３を介して電気的に直列に接続される。
【手続補正１７】
【補正対象書類名】明細書
【補正対象項目名】００３６
【補正方法】変更
【補正の内容】
【００３６】
図５Ａ及び図６Ａでは、交流の正半波電流は、交流発光装置を流れる発光状態であり、交流の正半波電流が入力される場合、互いに隣接している微小結晶粒子２０ｃ、２０ｄの同一層ではない能動層は順方向（微小結晶粒子２０ｃの上部能動層２００ｃ及び微小結晶粒子２０ｄの下部能動層２０１ｄ）であり、正半波電流は、図６Ａの矢印に示すように、各微小結晶粒子２０ｃ、２０ｄの同一層ではない能動層を流れて同一層ではない能動層のそれぞれが光源を出射する。交流の負半波電流が入力される場合、図５Ｂ及び図６Ｂに示すように、互いに隣接している各微小結晶粒子２０ｃ、２０ｄの同一層ではない能動層は順方向（微小結晶粒子２０ｄの上部能動層２００ｄ及び微小結晶粒子２０ｃの下部能動層２０１ｃ）であり、負半波電流は、図６Ｂの矢印に示すように、各微小結晶粒子２０ｃ、２０ｄの同一層ではない能動層を流れて同一層ではない能動層のそれぞれが光源を出射する。すなわち、本発明に係る等価回路図から分かるように、本発明では、前記の実施形態と同様に、交流の正負半波電流を積み重なる２つの発光ダイオードと等価であるので、本発明に係る交流発光装置は交流の正半波電流ないし負半波電流が流れる場合に、光源を出射することができる。図２Ａ、図２Ｂ、図３Ａ及び図３Ｂと異なる点は、各微小結晶粒子２０ｃ、２０ｄの同一層ではない能動層が、交流電力の正負半波に応じて交互に発光することにあるが、複数の微小結晶粒子を相互に交錯させるようにチップに複数配列して交流を印加する場合には、当該チップの平面（チップの出光面）が常時発光するようにしてもよい。
【手続補正１８】
【補正対象書類名】明細書
【補正対象項目名】００３７
【補正方法】変更
【補正の内容】
【００３７】
前記微小結晶粒子２０ｃ、２０ｄは、前記実施形態と同様に、同一または異なる波長（各能動層は同一または異なる波長を有してもよい）を有してもよく、すなわち出射の光源は同一または異なる色であり、異なる波長の能動層である場合、例えば上部能動層２００ｃ、２００ｄが緑色であり、下部能動層２０１ｃ、２０１ｄが赤色であれば、異なる能動層を交互に発光（上部能動層２００ｃから下部能動層２０１ｄまたは上部能動層２００ｄから下部能動層２０１ｃ）させることにより、光混合の効果（赤色光及び緑色光であり、その光混合の実施形態は前記の実施形態と同じであるので、詳しい説明を省略する）が得られる。また、上部能動層２００ｃ、２００ｄと下部能動層２０１ｃ、２０１ｄとから出射される光源は周波数１２０Ｈｚ（６０Ｈｚ×２）での異なる色の光を発することができ、この発光周波数は、人間の目が識別できる最高周波数１００Ｈｚを超えているので、混合された光の視覚効果がより均一的になり、柔らかい視覚効果が得られる。従って、本実施形態では、使用者に最適な視覚効果が与えられるように、常時発光できる装置のみならず、使用者の必要に応じて所要の発光光源色を調整することができ、出射される光線がより均一的に柔らかくなる装置が提供されている。
【手続補正１９】
【補正対象書類名】明細書
【補正対象項目名】００３８
【補正方法】変更
【補正の内容】
【００３８】
本発明に係る交流発光装置は、３層の能動層構造である。好ましい実施形態を図７に示す。図７は等価回路（前記のように、能動層が図７の発光ダイオードと等価である）を示す。交流正半波電流が流れる場合に、矢印に示すように、当該交流正半波電流が流れた各能動層は、いずれも発光（交流負半波電流が流れたルートは、正半波電流が流れたルートより容易に想像されるものであるので、ここでは詳しい説明を省略する）することができる。この３層の構造は、第１の層Ｌ１から緑色光源（白色光に合成されるのに最も必要な色系統である）が出射され、第２の層Ｌ２から青色光源（白色光に合成される上で次に必要な色系統である）が出射され、第３の層Ｌ３から赤色光源（白色光に合成される上で三番目に必要な色系統である）が出射されるのが好ましい。図７に基づけば、交流正半波電流が流れた色は（左から右への矢印に従って）、青色、緑色、緑色、赤色、青色、緑色、緑色、赤色の順である。交流負半波電流が流れた色も、青色、緑色、緑色、赤色、青色、緑色、緑色、赤色の順であるが、この場合右から左に電流が流れ、交流正半波電流の際には流れなかった２つの青色ダイオードと２つの赤色ダイオードを使用する（人間の目は白色を感知するのに多くの緑色を混合することを要求するから、すべての緑色ダイオードは、交流負半波電流の時も交流正半波電流の時と同様に発光する）。従って、本発明に係る交流発光装置は、交流正、負半波電流がそれらの能動層に適用される時に、異なる色を使用し、または調和させて、全体的に必要な色の効果を達成できる。また、この３層の能動層の構造では、出射された光源を（光源の色の混合により）白色光に近い効果に混合しようとすれば、波長５３５ｎｍの緑色光と波長４６０ｎｍの青色光と波長６３０ｎｍの赤色光とを相互に組み合わせるのが好ましい。この３層または複数層の能動層により光混合を行い、実際の必要に応じて色温度の調整する場合には、その中のいくつかの能動層をショートさせることにより発光させなくすることで、実際の光混合の必要に応じる。
【手続補正２０】
【補正対象書類名】明細書
【補正対象項目名】００３９
【補正方法】変更
【補正の内容】
【００３９】
また、図８に示すように、本発明に係る各微小結晶粒子は少なくとも１つの能動層を有することができる。これらの能動層は、ブリッジ整流器におけるダイオードの回路構造に基づいて配列を行うことができ、各能動層の間は互いに電気的に接続（前記のように、能動層が発光ダイオードと等価である）されており、その実施形態は、２層または３層の光混合効果であるのが好ましい（２層及び３層の好ましい配色方式は前述したので、ここでは詳しい説明を省略する）。
【手続補正２１】
【補正対象書類名】明細書
【補正対象項目名】００４０
【補正方法】変更
【補正の内容】
【００４０】
また、図８に示すように、前記の回路構造配列方式において電気的に接続されるための回路のそれぞれを、より分かりやすくなるように第１の回路Ｃ１、第２の回路Ｃ２、第３の回路Ｃ３、第４の回路Ｃ４及び第５の回路Ｃ５と定義する。ここで、能動層（発光ダイオードと等価である）の発光色及び数量は、使用者の必要に応じて組み合わせることができ、好ましくは、第１の回路Ｃ１、第２の回路Ｃ２、第４の回路Ｃ４及び第５の回路Ｃ５のそれぞれに微小結晶粒子の能動層が１０個設けられ、第３の回路Ｃ３に微小結晶粒子の能動層が２２個設けられている。ここで、交流発光微小結晶粒子は少なくとも１つの能動層を有する。この回路構造配列方式によって交流電力の逆方向バイアスがかかる能動層数は、交流電力の順方向バイアスの約半分であるので、この構造は、複数の能動層に同時に交流の逆方向バイアスがかけられる場合、能動層のそれぞれに平均的にかかる（１つの能動層に印加可能な逆方向バイアスが約１０〜１５Ｖである）ようになるので、この構造では、逆方向バイアスの過大によって能動層が貫通されショートしてしまうことはなくなる。さらに、白色光の光混合効果が得られるようにすることについては、前記の実施形態において記述したので、ここでは詳しい説明を省略する。本実施形態では、能動層の発光色及び数量を調整することができるほか、交流正半波電流が流れる第２の回路Ｃ２、第３の回路Ｃ３及び第４の回路Ｃ４を図９Ａに示すように設け、さらに、交流負半波電流が流れる第５の回路Ｃ５、第３の回路Ｃ３及び第１の回路Ｃ１を図９Ｂに示すように設けることも可能である。この方法によって当該回路が設けられる目的は、交流正、負半波電流のいずれもが流れる第３の回路をチップの出光面に設けることで、当該チップの出光面の主要発光領域が、導電電極Ｅ１、Ｅ２に交流電源が投入された後（当該導電電極Ｅ１、Ｅ２は前記回路と電気的に接続されている）に、常時発光できる効果が得られるようにする点にある。また、第３の回路Ｃ３の微小結晶粒子の複数の能動層が、交流正半波または負半波のいずれの場合にも発光するので、従来技術において必要とされた能動層の数量（前記実施形態によれば、従来技術では、能動層が交流正、負半波のいずれの場合にも２２個で、総数量が４４個も必要であるのに対し、本発明では、２２個の能動層のみで常時発光できる効果が得られる）を減らすことができる。
【手続補正２２】
【補正対象書類名】明細書
【補正対象項目名】００４１
【補正方法】変更
【補正の内容】
【００４１】
さらに、能動層（発光ダイオードと等価である）の上記の回路構造配列方式をブリッジ発光ユニットＢ１（図８に示す）としてもよい。すなわち、このブリッジ発光ユニットＢ１の微小結晶粒子の少なくとも１つの能動層が、ブリッジ整流器におけるダイオードの回路構造配列方式によって配列を行い、相互に電気的に接続されている。また、複数のブリッジ発光ユニットＢ１は、図１０Ａ及び図１０Ｂに示すマトリックス方式のようにチップの出光面（好ましくは、中央領域におけるブリッジ発光ユニットＢ１の数量が、各周辺におけるブリッジ発光ユニットＢ１の数量以上である）に設けられ、当該マトリックスの２つの対角箇所に交流電源が投入されるための導電電極Ｅ３、Ｅ４（当該導電電極Ｅ３、Ｅ４はブリッジ発光ユニットＢ１と直列に接続されている）が設けられることにより、交流電源が投入された後に、前記チップの出光面領域のほとんどは、交流正半波（図１０Ａに示す）または負半波（図１０Ｂに示す）のいずれの場合にも電流が流れることとなり、常時発光する効果が得られる。
【手続補正２３】
【補正対象書類名】明細書
【補正対象項目名】００４２
【補正方法】変更
【補正の内容】
【００４２】
前記の回路構造は、それぞれの微小結晶粒子が単層の能動層を有する交流発光装置に適用することが可能である。例えば基材に複数の交流発光ダイオード微小結晶粒子からなるブリッジ発光ユニットが形成され、この能動層のそれぞれは、ブリッジ整流器におけるダイオードの回路構造配列方式に応じて配列が行われるとともに、導電構造によって電気的に接続されることにより、交流電力の正負半波に応じて交互に発光する。当然のことながら、相互に電気的に接続される複数のブリッジ発光ユニットを備えてもよい。このブリッジ発光ユニットのそれぞれは、マトリックス配列となっており、中央領域におけるブリッジ発光ユニットの数量が、各周辺におけるブリッジ発光ユニットの数量以上であることにより、発光面積の全体が常時均一的に発光できる効果が得られる。また、マトリックス配列の２つの対角箇所に設けられた２つの導電電極をさらに備え、当該導電電極は、各ブリッジ発光ユニットと相互に直列に接続されることにより、交流電源が投入される。その回路構造は前記と同様であるので、ここでは詳しい説明を省略する。
【手続補正２４】
【補正対象書類名】明細書
【補正対象項目名】００４８
【補正方法】変更
【補正の内容】
【００４８】
本発明では、図１２Ａから図１２Ｅに示すように、さらに上記の交流発光装置に対応する製造方法が提供されている。図１２Ａに示すように、この製造方法は、まず基材１を準備し、当該基材１の上にエピタキシャル技術によって少なくとも２層の能動層（図に示す上部能動層２００及び下部能動層２０１）が順次形成される。当該能動層は、発光ダイオードのＰ／Ｎ構造と等価である。能動層は、Ｐ−ＩｎＧａＮ（窒化インジウム・ガリウム）及びＮ−ＩｎＧａＮ（窒化インジウム・ガリウム）であるのが好ましい。そして、図１２Ｂに示すように、フォトリソグラフィー及びエッチング技術により前記能動層（上部能動層２００及び下部能動層２０１）に該基材１が露出されるための複数の開口４が形成される。さらに、図１２（ｃ）に示すように、前記能動層（上部能動層２００及び下部能動層２０１）の外周に保護層５が被覆される。この保護層５は、漏電を回避する誘電材料からなり、例えばＳｉＯｘまたはＳｉＮｘ等である。続いて、図１２Ｄに示すように、前記保護層５を貫いて複数の導電端子６ａ、６ｂ、６ｃ及び６ｄが形成され、前記能動層（上部能動層２００及び下部能動層２０１）と互いに電気的に接続される。最後に、図１２Ｅに示すように、前記開口４に複数の導電構造３が形成され、各能動層（上部能動層２００及び下部能動層２０１）と電気的に接続され、それにより、各能動層（上部能動層２００及び下部能動層２０１）は、電流が通った後に、交流電力の正負半波に応じて交互に発光する。この製造方法で述べた基材１、能動層（上部能動層２００及び下部能動層２０１）及び導電構造３は、図２Ａ、図２Ｂ、図３Ａ及び図３Ｂの実施形態と同一であるため、ここでは詳しい説明を省略する。
【手続補正２５】
【補正対象書類名】明細書
【補正対象項目名】００４９
【補正方法】変更
【補正の内容】
【００４９】
前記導電端子６ａ、６ｂ、６ｃ及び６ｄは蒸着によって形成され、オーミック電極であり、前記能動層（上部能動層２００及び下部能動層２０１）と電気的に接続された後、微小結晶粒子２０が形成される。この微小結晶粒子２０は、前記のように同一または異なる波長をもつものであってよい。
【手続補正２６】
【補正対象書類名】明細書
【補正対象項目名】００５０
【補正方法】変更
【補正の内容】
【００５０】
本発明に係る上記の交流発光装置に対応するさらに他の製造方法を図１３Ａから図１３Ｆに示す。この製造方法では、まず第１の基材（図示せず）を準備し、当該第１の基材の上に第１の能動層７０が形成され、第１の基材が除去され、図１３Ａに示すように、第２の基材８の上に前記第１の能動層７０が接続される。そして、図１３Ｂに示すように、該第１の能動層７０に第２の能動層７１が形成され、該第１の能動層７０と第２の能動層７１との間に連結層７２が形成されるが、この連結層７２は導電材料と非導電材料とからなり、光透過材質である。さらに、図１３Ｃに示すように、該第１の能動層７０及び第２の能動層７１に該第２の基材８が露出される複数の開口９がフォトリソグラフィー及びエッチング技術によって形成される。また、図１３Ｄに示すように、該第１の能動層７０及び第２の能動層７１の外周に保護層１０が被覆されるが、この保護層１０は漏電を回避する誘電材料からなり、例えばＳｉＯｘまたはＳｉＮｘ等である。そして、図１３Ｅに示すように、該保護層１０を貫通して複数の導電端子６ｅ、６ｆ、６ｇ及び６ｈを形成し、該第１の能動層７０及び第２の能動層７１に互いに電気的に接続される。最後に、図１３Ｆに示すように、該開口９に複数の導電構造３が形成され、第１の能動層７０及び第２の能動層７１のそれぞれに電気的に接続されることにより、第１の能動層７０及び第２の能動層７１のそれぞれが交流の印加後に交流電力の正負半波に応じて交互に発光することができる。この製造方法で述べた第２の基材８、能動層（第１の能動層７１及び第２の能動層７１）及び導電構造３は、図２Ａ、図２Ｂ、図３Ａ及び図３Ｂの実施形態と同一であるため、ここでは詳しい説明を省略する。
【手続補正２７】
【補正対象書類名】明細書
【補正対象項目名】００５１
【補正方法】変更
【補正の内容】
【００５１】
また、この製造方法における導電端子６ｅ、６ｆ、６ｇ及び６ｈは、前記の製造方法のように蒸着により形成されており、オーミック電極であってもよく、前記能動層（第１の能動層７１及び第２の能動層７１）に電気的に接続された後に微小結晶粒子２０が形成される。この微小結晶粒子２０は、前記のように同一または異なる波長をもつものであってもよい。
【手続補正２８】
【補正対象書類名】明細書
【補正対象項目名】００５２
【補正方法】変更
【補正の内容】
【００５２】
上記のように、本発明に係る交流発光装置は、各微小結晶粒子に少なくとも１層の能動層（より好ましくは２層または３層である）が設けられることにより、各微小結晶粒子の能動層のそれぞれが交流電力の正負半波に応じて交互に発光し、発光面積の全体が常時発光できる効果が得られ、本発明に係る能動層の基本構造が異なる回路配置方式に利用されることにより、より好ましい光混合及び常時発光の効果が得られる。